(57)【要約】【課題】容易に鍵穴が露出されることのない鍵穴保護装置を提供する。【解決手段】鍵穴保護装置１は、鍵穴５２を有する錠５０に使用し、錠５０を取り付ける本体部１０と、鍵穴５２を覆う被覆部２０と、本体部１０と被覆部２０とを連結する軸部３０とを備える。本体部１０、被覆部２０、および軸部３０は、被覆部２０によって鍵穴５２を覆った状態から、被覆部２０を本体部１０に対して直線移動させて中間位置に配置した後、中間位置から軸部３０の軸心Ｊを中心に被覆部２０を周方向Ｌへ旋回移動させることによって鍵穴５２が露出するように構成してある。【選択図】図１７
2014066049.tif 000002
【特許請求の範囲】
【請求項１】
鍵穴を有する錠に使用し、前記錠を取り付ける本体部と、前記鍵穴を覆う被覆部と、前記本体部と前記被覆部とを連結する軸部とを備える鍵穴保護装置において、
前記本体部、前記被覆部、および前記軸部は、前記被覆部によって前記鍵穴を覆った状態から、前記被覆部を前記本体部に対して直線移動させて中間位置に配置した後、前記中間位置から前記軸部の軸心を中心に前記被覆部を周方向へ旋回移動させることによって前記鍵穴が露出するように構成したことを特徴とする前記鍵穴保護装置。
【請求項２】
前記軸部は、互いに対向する一対の軸部直線部と、一対の前記軸部直線部の間に配置した軸部曲線部とを有し、
前記本体部は、前記軸部を貫通させる貫通孔を有し、
前記貫通孔は、互いに対向する一対の貫通孔直線部と、一対の前記貫通孔直線部の一方の端部に配置し、一対の前記貫通孔直線部の離間距離よりも直径が大きい弧状部とを有し、
前記貫通孔および前記軸部は、一対の前記貫通孔直線部と一対の前記軸部直線部とが対向する状態では、前記軸部が前記本体部に対して直線移動することを許容しつつ、前記軸部の軸心を中心にして前記被覆部を前記本体部に対して旋回移動することを規制する一方、前記弧状部と一対の前記軸部直線部とが対向する状態では、前記軸部が前記本体部に対して前記軸心を中心に旋回運動することを許容するように構成してある請求項１に記載の鍵穴保護装置。
【請求項３】
前記軸部は一方の端部に鍔部を有し、
前記鍔部と前記本体部との間には、前記被覆部を前記本体部に押圧する押圧手段を備える請求項１または２に記載の鍵穴保護装置。
【請求項４】
前記本体部の前記貫通孔を形成した部位の周囲には、凹部を形成し、
前記凹部に前記押圧手段を配置してある請求項３に記載の鍵穴保護装置。
【請求項５】
前記貫通孔は、互いに対向する一対の貫通孔直線部と、一対の前記貫通孔直線部の一方の端部に配置する貫通孔曲線部とを有し、
前記本体部は、錠の一部を貫通させる錠貫通孔を有し、
前記錠貫通孔は、互いに対向する一対の錠貫通孔直線部と、一対の前記錠貫通孔直線部の一方の端部に配置する錠貫通孔曲線部とを有し、
前記貫通孔直線部の延びる方向と、前記錠貫通孔直線部の延びる方向とが互いに直交する請求項２〜４に記載の鍵穴保護装置。
【発明の詳細な説明】
【技術分野】
【０００１】
この発明は、鍵穴を有する錠に使用する鍵穴保護装置に関する。
【背景技術】
【０００２】
従来、錠を取り付ける本体部と、鍵穴を覆う被覆部と、本体部と被覆部とを連結する軸部とを備える鍵穴保護装置は公知である。例えば、特許文献１には、前記鍵穴保護装置であるキャップが開示されている。
【０００３】
前記キャップは、本体部である固定部材と、被覆部である可動部材とを備えている。
【０００４】
このキャップは、可動部材が軸部を有し、固定部材が有するスリーブに前記軸部を貫通させることによって、軸部の軸心を中心に、可動部材が固定部材を旋回するように構成してある。
【０００５】
また、可動部材、固定部材、および軸部は、固定部材に取り付けた錠の鍵穴を可動部材で覆った状態から、軸部の軸心に対して周方向へ可動部材を旋回移動させた場合、鍵穴が露出するように構成してある。
【先行技術文献】
【特許文献】
【０００６】
【特許文献１】特開２００９−１９４６９号公報
【発明の開示】
【発明が解決しようとする課題】
【０００７】
特許文献１に開示されている鍵穴保護装置では、固定部材に対して可動部材を一方向に移動させれば鍵穴が露出するため、鍵穴が容易に露出する課題があった。鍵穴が露出した場合には、ガム等の異物を鍵穴に挿入され、鍵の解錠ができない問題を招来することとなる。
【０００８】
そこで、この発明は、容易に鍵穴が露出されることのない鍵穴保護装置を提供することを課題にしている。
【課題を解決するための手段】
【０００９】
前記課題を解決するために、本発明は、鍵穴を有する錠に使用し、前記錠を取り付ける本体部と、前記鍵穴を覆う被覆部と、前記本体部と前記被覆部とを連結する軸部とを備える鍵穴保護装置に関する。
【００１０】
本発明に係る鍵穴保護装置の前記本体部、前記被覆部、および前記軸部は、前記被覆部によって前記鍵穴を覆った状態から、前記被覆部を前記本体部に対して直線移動させて中間位置に配置した後、前記中間位置から前記軸部の軸心を中心に前記被覆部を周方向へ旋回移動させることによって前記鍵穴が露出するように構成したことを特徴とする。
【００１１】
本発明の好ましい実施態様の一つとして、前記軸部は、互いに対向する一対の軸部直線部と、一対の前記軸部直線部の間に配置した軸部曲線部とを有し、前記本体部は、前記軸部を貫通させる貫通孔を有し、前記貫通孔は、互いに対向する一対の貫通孔直線部と、一対の前記貫通孔直線部の一方の端部に配置し、一対の前記貫通孔直線部の離間距離よりも直径が大きい弧状部とを有し、前記貫通孔および前記軸部は、一対の前記貫通孔直線部と一対の前記軸部直線部とが対向する状態では、前記軸部が前記本体部に対して直線移動することを許容しつつ、前記軸部の軸心を中心にして前記被覆部を前記本体部に対して旋回移動することを規制する一方、前記弧状部と一対の前記軸部直線部とが対向する状態では、前記軸部が前記本体部に対して前記軸心を中心に旋回運動することを許容するように構成してある。
【００１２】
本発明の他の好ましい実施態様の一つとして、前記軸部は一方の端部に鍔部を有し、前記鍔部と前記本体部との間には、前記被覆部を前記本体部に押圧する押圧手段を備える。
【００１３】
本発明の他の好ましい実施態様の一つとして、前記本体部の前記貫通孔を形成した部位の周囲には、凹部を形成し、前記凹部に前記押圧手段を配置してある。
【００１４】
本発明の他の好ましい実施態様の一つとして、前記貫通孔は、互いに対向する一対の貫通孔直線部と、一対の前記貫通孔直線部の一方の端部に配置する前記貫通孔曲線部とを有し、前記本体部は、錠の一部を貫通させる錠貫通孔を有し、前記錠貫通孔は、互いに対向する一対の錠貫通孔直線部と、一対の前記錠貫通孔直線部の一方の端部に配置する錠貫通孔曲線部とを有し、前記貫通孔直線部の延びる方向と、前記錠貫通孔直線部の延びる方向とが互いに直交する。
【発明の効果】
【００１５】
この発明に係る鍵穴保護装置によれば、本体部、被覆部、および軸部は、被覆部によって鍵穴を覆った状態から、被覆部を本体部に対して直線移動させて中間位置に配置した後、前記中間位置から前記軸部の軸心を中心に前記被覆部を周方向へ旋回移動させることによって鍵穴が露出するように構成してあるため、鍵穴を露出させるには、異なる方向へ被覆部を移動させる必要がある。よって、容易に鍵穴が露出しない鍵穴保護装置を提供することができる。
【図面の簡単な説明】
【００１６】
【図１】本発明に係る鍵穴保護装置の斜視図。
【図２】鍵穴保護装置が備える本体部の背面図。
【図３】図２の矢視ＩＩＩ−ＩＩＩにおける断面図。
【図４】本体部の正面図。
【図５】被覆部の背面図。
【図６】図５の矢視ＶＩ−ＶＩにおける断面図。
【図７】被覆部の正面図。
【図８】鍵穴保護装置が備える六角穴付きボルトの一部切欠き側面図。
【図９】（ａ）鍵穴保護装置が備える板バネの正面図。（ｂ）その板バネの側面図。
【図１０】鍵穴保護装置の組み立てを示す斜視図。
【図１１】鍵穴保護装置に錠を取り付ける際、および扉に鍵穴保護装置を取り付ける際の斜視図。
【図１２】鍵穴保護装置の被覆状態を示す正面図。
【図１３】図１２の矢視ＸＩＩＩ−ＸＩＩＩにおける断面図。
【図１４】図１３の矢視ＸＩＶ−ＸＩＶにおける断面図。
【図１５】鍵穴保護装置の中間状態を示す正面図。
【図１６】図１５の矢視ＸＶＩ−ＸＶＩにおける断面図。
【図１７】図１６の矢視ＸＶＩＩ−ＸＶＩＩにおける断面図。
【図１８】鍵穴保護装置の露出状態を示す正面図。
【図１９】図１８の矢視ＸＩＸ−ＸＩＸにおける断面図。
【図２０】図１９の矢視ＸＸ−ＸＸにおける断面図。
【図２１】鍵穴保護装置の露出固定状態を示す正面図。
【図２２】図２１の矢視ＸＸＩＩ−ＸＸＩＩにおける断面図。
【図２３】図２２の矢視ＸＸＩＩＩ−ＸＸＩＩＩにおける断面図。
【発明を実施するための形態】
【００１７】
添付の図面を参照してこの発明に係る鍵穴保護装置１の詳細を説明すると以下のとおりである。
【００１８】
図１は、後述する鍵穴５２を有する錠５０（図１１参照）に使用する鍵穴保護装置１の斜視図である。図１中、Ｘは横方向を示し、Ｙは、横方向Ｘに直交する縦方向を示し、Ｚは、横方向Ｘおよび縦方向Ｙにそれぞれ直交する厚さ方向を示す。
【００１９】
鍵穴保護装置１は、例えば自動販売機等の他の装置の扉６０に取り付けるものであって、本体部１０と被覆部２０とを備えている。本体部１０および被覆部２０の正面視は、縦方向Ｙおよび横方向Ｘの大きさが合致するように形成してあり、本体部１０を被覆部２０で覆っている。
【００２０】
図２は、本体部１０の背面図であり、図３は、図２における矢視ＩＩＩ−ＩＩＩにおける断面図であり、図４は、本体部１０の正面図である。
【００２１】
本体部１０は、扉６０に当接する裏面１１（図２参照）と、扉６０から露出する表面１２（図４参照）とを有するように亜鉛等の金属によって円板状に形成してある。
【００２２】
本体部１０は、厚さ方向Ｚへ延びる錠貫通孔１３と、貫通孔１４とを有している。また、本体部１０の表面１２の周縁には、表面１２から裏面１１に向けて凹む周縁凹部１９を設けてある。
【００２３】
錠貫通孔１３は、錠５０の後述する小径雄ネジ５４および拡幅部５５を厚さ方向Ｚに貫通させるものであって（図１１参照）、縦方向Ｙにおいて、図２〜４における本体部１０の下半分に配置してあり、互いに対向する一対の錠貫通孔直線部１３ａと、一対の錠貫通孔直線部１３ａの間に配置した錠貫通孔曲線部１３ｂとを有している。錠貫通孔直線部１３ａは、横方向Ｘに延びるように本体部１０に配置してある。
【００２４】
貫通孔１４は、後述する軸部３０を厚さ方向Ｚに貫通させるものであって、縦方向Ｙにおいて、図２〜４における本体部１０の上半分に配置してあり、互いに対向する一対の貫通孔直線部１４ａと、一対の貫通孔直線部１４ａの一方の端部に配置し、一対の貫通孔直線部１４ａの離間距離Ｌ１よりも直径Ｌ２が大きい弧状部１４ｂと、一対の貫通孔直線部１４ａの他方の端部に配置し、一対の貫通孔直線部１４ａの他方の端部どうしを連結する貫通孔曲線部１４ｃとを有している。貫通孔直線部１４ａは、縦方向Ｙに延びるように本体部１０に配置してある。
【００２５】
本体部１０の裏面１１側において、貫通孔１４を形成した部位の周囲には、裏面１１側から表面１２側に向けて凹む長円状凹部１５を設けてある。長円状凹部１５は、図２中、横方向Ｘの長さ寸法よりも縦方向Ｙの長さ寸法が大きい。
【００２６】
長円状凹部１５の縦横の大きさを、貫通孔１４の縦横の大きさよりも大きく形成してあり、厚さ方向Ｚにおいて、長円状凹部１５と貫通孔１４との間には、第１段部１６を形成してある。長円状凹部１５の厚さ方向Ｚの寸法は、本体部１０の厚さ方向Ｚの寸法の約半分であって、本体部１０の厚さ方向Ｚの寸法よりも小さい（図３参照）。
【００２７】
本体部１０の表面１２において、図３および図４に示すように、錠貫通孔１３を形成した部位の周囲には、表面１２から裏面１１に向けて凹む円状凹部１７を設けてある。
【００２８】
円状凹部１７の縦横の大きさを、錠貫通孔１３の縦横の大きさよりも大きく形成してあり、厚さ方向Ｚにおいて、円状凹部１７と錠貫通孔１３との間には、第１段部１８を形成してある。円状凹部１７の厚さ方向Ｚの寸法は、本体部１０の厚さ方向の寸法の約半分であって、本体部１０の厚さ方向Ｚの寸法よりも小さい（図３参照）。
【００２９】
円状凹部１７および第１段部１８は、円状凹部１７に、錠５０の後述する錠鍔部５３（図１１参照）が嵌り、かつ第１段部１８に鍔部３４が当接するように、円状凹部１７の縦横の径が鍔部３４よりも大きく、かつ第１段部１８の縦横の径が鍔部３４よりも小さくなるように形成してある。
【００３０】
図５は被覆部２０の背面図であり、図６は、図５における矢視ＶＩ−ＶＩにおける断面図であり、図７は被覆部２０の正面側を示す正面図である。
【００３１】
被覆部２０は、例えばステンレス等の金属によって円板状に形成してある。被覆部２０の表面２２は、平坦に形成してある。被覆部２０の裏面２１は、その周縁に、表面２２から裏面２１に向けて突出し、本体部１０の周縁凹部１９に嵌る環状の凸部２３を形成してあり、本体部１０と被覆部２０とが縦横で合致するように配置した状態において、本体部１０の貫通孔１４に対向する部位には、裏面１１から後方へ向けて突出するボス３１を設けてあり、凸部２３およびボス３１を設けた部分を除いた部分は、平坦に形成してある（図５，６参照）。
【００３２】
ボス３１は、被覆部２０の縦横の中心ｏに対して、その周縁に偏倚するように配置してある。ボス３１は、後述する六角穴付きボルト３３（図８参照）とともに軸部３０を構成するものであって、ボス３１の内周面には雌ネジ３２を形成してある（図５，６参照）。ボス３１の外周面は、互いに対向する一対の軸直線部３１ａと、一対の軸直線部３１ａの間に配置した軸曲線部３１ｂとを有している。軸直線部３１ａは、縦方向Ｙに延びるように配置してある。
【００３３】
本体部１０および被覆部２０は、一対の貫通孔直線部１４ａと一対の軸直線部３１ａとが対向する状態において、軸直線部３１ａが縦方向Ｙへ延びる姿勢を維持して貫通孔１４の内部を縦方向Ｙへ移動可能、換言すれば本体部１０に対して被覆部２０が縦方向Ｙへ移動可能であるように、一対の軸直線部３１ａの離間距離Ｌ３は、本体部１０の一対の貫通孔直線部１４ａの離間距離Ｌ１より小さいとともに、本体部１０に対して被覆部２０が軸部３０の軸心Ｊを中心に旋回することを規制するように、一対の軸直線部３１ａの離間距離Ｌ３は、本体部１０の一対の貫通孔直線部１４ａの離間距離Ｌ１に対して所定の距離を有している。
【００３４】
図８は六角穴付きボルト３３の側面図である。六角穴付きボルト３３は、厚さ方向Ｚにおいて、一方の端部に形成した鍔部３４と、他方の端部に形成した雄ネジ３５とを有している。雄ネジ３５は、ボス３１の雌ネジ３２に螺合するよう形成してある。鍔部３４の中央には、ボス３１の雌ネジ３２に、六角穴付きボルト３３の雄ネジ３５を螺合する場合、六角レンチを挿入するための六角形の凹部３６を形成してある。
【００３５】
図９（ａ）は、本体部１０の長円状凹部１５に挿入する板バネ４０の正面図であり、図９（ｂ）は、その板バネ４０の側面図である。板バネ４０は、本体部１０に被覆部２０を押圧する押圧手段であって、例えばステンレス等の金属によって、図９（ａ）中、横方向Ｘの長さ寸法よりも縦方向Ｙの長さ寸法が大きい長円状を有し、図９（ｂ）中、力が加えられていない状態では、縦方向Ｙの両端部４１が本体部１０に近接する一方、中央部４２が離間するように形成してある（図１３参照）。板バネ４０の中央部４２には、例えば本体部１０の貫通孔１４と同一形状であって同一の大きさのバネ貫通孔４３を形成してある。
【００３６】
図１０は、鍵穴保護装置１の組み立てを示す斜視図である。本体部１０および被覆部２０を軸部３０によって連結する場合には、先ず、被覆部２０の凸部２３と、本体部１０の周縁凹部１９とが係合するように、厚さ方向Ｚにおいて、本体部１０と被覆部２０とを重ねる。このように本体部１０と被覆部２０とを重ねると、本体部１０の縦横の中心Ｏ（図２〜４参照）と、被覆部２０の縦横の中心ｏ（図５〜７参照）とが厚さ方向Ｚにおいて重なり、本体部１０の貫通孔１４において、一対の貫通孔直線部１４ａと、一対の軸直線部３１ａとが対向するように、本体部１０の貫通孔１４に、被覆部２０のボス３１が挿入される。
【００３７】
次いで、長円状凹部１５に板バネ４０を挿入した状態で、ボス３１の雌ネジ３２と、六角穴付きボルト３３の雄ネジ３５とを螺合させ、軸部３０によって、本体部１０と被覆部２０とを連結して、鍵穴保護装置１を構成する。鍔部３４と本体部１０との間に板バネ４０を配置し、雌ネジ３２と雄ネジ３５とを螺合すると、板バネ４０の厚さ方向Ｚの寸法が小さくなるように板バネ４０が変形し（図１３参照）、板バネ４０の変形によって被覆部２０を本体部１０に押圧する付勢力が発生する。
【００３８】
図１１は、錠５０を鍵穴保護装置１に取り付けるとともに、鍵穴保護装置１を扉６０に取り付ける場合を説明する組み立て図である。
【００３９】
錠５０は、錠本体５１と、係止板５４ａと、小径六角ナット５６と、ワッシャ５６ａと、大径六角ナット５７と、爪金具５８とを備えている。錠本体５１は、略円柱状に形成してあり、正面側の中央に配置し、厚さ方向Ｚへ延びる鍵穴５２と、正面側の周縁に形成した円形の錠鍔部５３と、錠本体５１の背面側から後方へ向けて延びる小径雄ネジ５４と、厚さ方向Ｚにおいて、錠鍔部５３と小径雄ネジ５４との間に配置した拡幅部５５とを有している。
【００４０】
小径雄ネジ５４は、錠５０に対して正規の鍵５９を鍵穴５２に挿入した状態において、鍵５９を錠５０の軸心Ｊに対して旋回させた場合には、鍵５９の旋回とともに拡幅部５５に対して旋回するように形成してある。小径雄ネジ５４の周面の一部には、一対の第１切欠きを設けて一対の第１平坦部５４ｂを形成してある。また、小径雄ネジ５４の基端には、係止板５４ａを取り付けてあり、係止板５４ａの爪Ｔによって、鍵５９の旋回角度を規制してある。
【００４１】
拡幅部５５の周面には、大径雄ネジ５５ａを形成してあり、且つ拡幅部５５の周面の一部には、一対の第２切欠きを設けて第２平坦部５５ｂを形成してある。
【００４２】
錠鍔部５３は、縦方向Ｙおよび横方向Ｘにおいて、本体部１０の錠貫通孔１３よりも大きく、第１段部１６に当接し、且つ円状凹部１７に嵌るように形成してある。
【００４３】
小径六角ナット５６は、小径雄ネジ５４に螺合するよう形成してある。大径六角ナット５７は、拡幅部５５の大径雄ネジ５５ａに、螺合するよう形成してある。
【００４４】
爪金具５８は、大径雄ネジ５５ａおよび小径雄ネジ５４の軸方向（図１１における厚さ方向Ｚ）に対して直交する方向へ延びる態様であって、鍵穴５２に鍵５９を挿入した状態において、鍵５９を旋回した場合には、鍵５９の旋回と同一方向に旋回するよう錠本体５１の背面側の小径雄ネジ５４に、小径六角ナット５６を螺合することによって取り付けてある。爪金具５８は、錠５０を施錠状態にした場合には、自動販売機の扉６０から筐体６９へ交差する方向へ延びて扉６０が開くことを規制する一方（図１２において二点鎖線で示す）、錠５０を解錠状態にした場合には、扉６０と重なる方向へ延びて（図１２において実線で示す）、扉６０が開くことを許容するものである。厚さ方向Ｚにおいて、小径六角ナット５６と爪金具５８との間にはワッシャ５６ａを配置してある。
【００４５】
鍵穴保護装置１を自動販売機の扉６０に取り付ける場合には、先ず、錠５０の小径六角ナット５６と小径雄ネジ５４との螺合を解除し、且つ大径六角ナット５７と大径雄ネジ５５ａとの螺合を解除する。次に、扉６０に透孔６１を形成する。透孔６１の縦方向Ｙおよび横方向Ｘの大きさは、錠５０の正面視における拡幅部５５の縦方向Ｙおよび横方向Ｘの寸法よりも大きく、本体部１０の正面視における縦方向Ｙおよび横方向Ｘの寸法よりも小さい。
【００４６】
次いで、本体部１０の手前に、小径雄ネジ５４を対向させた状態で、本体部１０の錠貫通孔１３に、小径雄ネジ５４および大径雄ネジ５５ａを挿入し、円状凹部１７に錠５０の錠鍔部５３を嵌め、かつ第１段部１８に錠鍔部５３を当接させて、鍵穴保護装置１に錠５０を取り付ける。  
【００４７】
次いで、透孔６１に錠５０の小径雄ネジ５４および大径雄ネジ５５ａを挿入した後、拡幅部５５の大径雄ネジ５５ａに大径六角ナット５７を螺合させる。次いで、小径雄ネジ５４に爪金具５８を挿入してから、小径雄ネジ５４に小径六角ナット５６を螺合して、鍵穴保護装置１を扉６０に取り付ける。
【００４８】
次に、鍵穴保護装置１の作用を説明する。図１２は、錠５０を鍵穴保護装置１に取り付け、且つその鍵穴保護装置１を扉６０に取り付けた状態の正面図であり、図１３は、図１２の矢視ＸＩＩＩ−ＸＩＩＩにおける断面図であり、図１４は、図１３の矢視ＸＩＶ−ＸＩＶにおける断面図である。
【００４９】
この鍵穴保護装置１では、図１２〜図１４に示すように、正面視において、被覆部２０が本体部１０に重なる被覆状態では、鍵穴５２は被覆部２０によって覆われ、鍵穴５２に鍵５９を挿入することができない。
【００５０】
被覆状態では、貫通孔１４の一対の貫通孔直線部１４ａと、軸部３０の一対の軸直線部３１ａとが対向し、軸部３０が貫通孔１４の下端部に位置して、軸部３０の下方の軸曲線部３１ｂが、貫通孔１４の貫通孔曲線部１４ｃに当接している。
【００５１】
被覆状態において、本体部１０に対して被覆部２０を、軸部３０の軸心Ｊを中心に旋回移動させようとした場合には、軸直線部３１ａと貫通孔直線部１４ａとが当接し、本体部１０に対する被覆部２０の旋回が規制される。
【００５２】
被覆状態において、本体部１０に対して被覆部２０を上方へ直線移動させると、貫通孔１４の内部を下方から上方へ軸部３０が移動し、図１５〜図１７に示すように、軸部３０の上方の軸曲線部３１ｂが、貫通孔１４の弧状部１４ｂに当接して、一対の軸直線部３１ａと弧状部１４ｂとが対向して、本体部１０に対して被覆部２０が中間位置に移動した状態となる。
【００５３】
本体部１０に対して被覆部２０が中間位置に移動した状態では、錠５０の鍵穴５２（図１５参照）は被覆部２０によって覆われ、鍵穴５２に鍵５９を挿入することができない。
【００５４】
一対の軸直線部３１ａが弧状部１４ｂに対向した状態（中間状態）から、本体部１０に対して被覆部２０を旋回させた場合には、軸部３０の軸心Ｊを中心に、被覆部２０が本体部１０に対して旋回移動し、やがて、中間位置から被覆部２０を１８０°移動させると、図１８〜図２０に示すように、錠５０の鍵穴５２が露出した露出状態となる。
【００５５】
露出状態では、一対の軸直線部３１ａが弧状部１４ｂに対向している。この露出状態において、本体部１０に対して被覆部２０を下方へ直線移動させると、貫通孔１４の内部を上方から下方へ軸部３０が移動し、図２１〜図２３に示すように、軸部３０の下方の軸曲線部３１ｂが、貫通孔１４の貫通孔曲線部１４ｃに当接し、かつ一対の軸直線部３１ａと、一対の貫通孔直線部１４ａとが対向した露出固定状態となる。この露出固定状態では、軸部３０の下方の軸曲線部３１ｂが、貫通孔１４の貫通孔曲線部１４ｃに当接した状態であるため、操作者が被覆部２０から手を離しても本体部１０に対して被覆部２０が移動しない。
【００５６】
露出固定状態においても、鍵穴５２は、被覆部２０によって覆われておらず、露出した状態となっている。よって、この露出固定状態において、鍵穴５２に鍵５９を挿入すれば、錠５０を施錠状態から解錠状態に変えることができ、若しくは解錠状態から施錠状態に変えることができる。
【００５７】
この露出固定状態から、被覆状態に被覆部２０を移動させる場合には、上述した操作と逆の操作を行えばよい。
【００５８】
この鍵穴保護装置１によれば、本体部１０、被覆部２０、および軸部３０は、被覆部２０によって鍵穴５２を覆った通常状態から、第１の方向である上方へ被覆部２０を本体部１０に対して直線移動させて中間位置に配置した後、中間位置から軸部３０の軸心Ｊに対して周方向へ被覆部２０を旋回移動させることによって鍵穴５２が露出するように構成してあるため、被覆部２０を直線移動させた後、軸部３０の軸心Ｊを中心に旋回移動させなければ、鍵穴５２が露出しない。よって、鍵穴５２を露出させるためには、本体部１０に対して異なる二つの方向へ被覆部２０を移動させる必要があるため、容易に鍵穴５２が露出することのない鍵穴保護装置１を提供することができる。
【００５９】
本体部１０において、錠貫通孔直線部１３ａの延びる方向が横方向Ｘである一方、貫通孔直線部１４ａの延びる方向が縦方向Ｙであるため、上述した規制の際に力が加わる方向を分散することができる。よって、本体部１０の厚さを薄くすることができる。しかも、本体部１０の縦方向Ｙの寸法および横方向Ｘの寸法、換言すれば鍵穴保護装置１の縦方向Ｙの寸法および横方向Ｘの寸法を小さくすることができる。
【００６０】
本体部１０の貫通孔１４を形成した部位の周囲には、長円状凹部１５を形成し、長円状凹部１５に板バネ４０を配置してあるため、板バネ４０を配置するための空間を別途設ける必要がない。よって、鍵穴保護装置１の厚さ方向Ｚの寸法を小さくすることができる。
【００６１】
なお、上述した実施の形態には、錠貫通孔直線部１３ａが横方向Ｘへ延びるとともに、貫通孔直線部１４ａが縦方向Ｙへ延びるように、これらの直線部１３ａ，１４ａを本体部１０に配置するもので説明した。しかし、この発明は、これに限られず、例えば錠貫通孔直線部１３ａを横方向Ｘへ延びるように本体部１０に配置するとともに、貫通孔直線部１４ａを縦方向Ｙへ延びるように本体部１０に配置してもよい。もちろん、これらの直線部１３ａ、１４ａの延びる方向は、上述した方向に限定されず、適宜変更することができる。
【００６２】
また、鍵穴保護装置１は自動販売機に適用する場合に限られず、制御盤等の他の物品に適用することもできる。
【００６３】
さらに、軸部３０は、被覆部２０に設けたボス３１と、六角穴付きボルト３３とで構成する鍵穴保護装置１を説明した。しかし、この発明は、それに限られず、例えばボス３１を本体部１０に設けてもよい。
【００６４】
また、被覆部２０を本体部１０に対して縦方向Ｙへ直線移動させる鍵穴保護装置１で説明した。しかし、この発明は、それに限られず、直線移動させる方向は、横方向Ｘでもよいし、縦方向Ｙおよび横方向Ｘにそれぞれ傾斜する斜め方向でもよい。
【符号の説明】
【００６５】
１      鍵穴保護装置
１０    本体部
１３    錠貫通孔
１３ａ  錠貫通孔直線部
１３ｂ  錠貫通孔曲線部
１４    貫通孔
１４ａ  貫通孔直線部
１４ｂ  弧状部
１４ｃ  貫通孔曲線部
１５    長円状凹部（凹部）
２０    被覆部
３０    軸部
３１ａ  軸部直線部
３１ｂ  軸部曲線部
３４    鍔部
４０    板バネ（押圧手段）
５０    錠
５２    鍵穴
Ｊ      軸心
【図１】
2014066049.tif 000003
【図２】
2014066049.tif 000004
【図３】
2014066049.tif 000005
【図４】
2014066049.tif 000006
【図５】
2014066049.tif 000007
【図６】
2014066049.tif 000008
【図７】
2014066049.tif 000009
【図８】
2014066049.tif 000010
【図９】
2014066049.tif 000011
【図１０】
2014066049.tif 000012
【図１１】
2014066049.tif 000013
【図１２】
2014066049.tif 000014
【図１３】
2014066049.tif 000015
【図１４】
2014066049.tif 000016
【図１５】
2014066049.tif 000017
【図１６】
2014066049.tif 000018
【図１７】
2014066049.tif 000019
【図１８】
2014066049.tif 000020
【図１９】
2014066049.tif 000021
【図２０】
2014066049.tif 000022
【図２１】
2014066049.tif 000023
【図２２】
2014066049.tif 000024
【図２３】
2014066049.tif 000025